(57)【要約】【課題】同期外れ状態である移動局が、無線基地局ｅＮＢに対して送信すべき上りユーザデータが発生していない場合で、かつ、無線基地局ｅＮＢによって送信されたＲＡＣＨ送信要求を受信していない場合であっても、同期確立状態に遷移することを可能とする。【解決手段】本発明に係る同期確立方法は、移動局ＵＥが、同期確立状態において、所定期間内に、ＴＡを受信しなかった場合、同期外れ状態に遷移する工程と、移動局ＵＥが、同期外れ状態において、ＤＬ-ＳＣＨを介して移動局ＵＥ宛ての下りリンク情報を受信した場合に、無線基地局ｅＮＢに対して、ＲＡＣＨを介して所定情報を送信する工程と、無線基地局ｅＮＢが、ＲＡＣＨを介して受信した所定情報に応じて、移動局ＵＥに対して、ＴＡを送信する工程と、移動局ＵＥが、受信したＴＡに基づいて上りリンクにおける同期を確立することによって第１状態に遷移する工程とを有する。【選択図】図４
2009164832.tif 000002
【特許請求の範囲】
【請求項１】
移動局が、無線基地局から送信されるタイミング調整コマンドに基づいて、該無線基地局との間で、上りリンクにおける同期を確立する同期確立方法であって、
前記移動局が、前記上りリンクにおける同期が確立されている第１状態において、所定期間内に、前記タイミング調整コマンドを受信しなかった場合、該上りリンクにおける同期が確立されていない第２状態に遷移する工程Ａと、
前記移動局が、前記第２状態において、下りリンク用共有チャネルを介して該移動局宛ての下りリンク情報を受信した場合に、前記無線基地局に対して、ランダムアクセスチャネルを介して所定情報を送信する工程Ｂと、
前記無線基地局が、前記ランダムアクセスチャネルを介して受信した前記所定情報に応じて、前記移動局に対して、タイミング調整コマンドを送信する工程Ｃと、
前記移動局が、前記工程Ｃにおいて前記無線基地局によって送信された前記タイミング調整コマンドに基づいて、前記上りリンクにおける同期を確立することによって、前記第１状態に遷移する工程Ｄとを有することを特徴とする同期確立方法。
【請求項２】
前記移動局は、前記タイミング調整コマンドを受信する度に、前記所定期間を計測するための上り同期タイマを再起動し、
前記移動局は、前記上り同期タイマが満了した場合に、前記第２状態に遷移することを特徴とする請求項１に記載の同期確立方法。
【請求項３】
無線基地局から送信されるタイミング調整コマンドに基づいて、該無線基地局との間で、上りリンクにおける同期を確立するように構成されている移動局であって、
前記移動局の状態が、前記上りリンクにおける同期が確立されている第１状態或いは前記上りリンクにおける同期が確立されていない第２状態のいずれであるかについて管理するように構成されている同期状態管理部と、
前記移動局の状態が前記第２状態である場合で、かつ、下りリンク用共有チャネルを介して前記移動局宛ての下りリンク情報を受信した場合に、前記無線基地局に対して、ランダムアクセスチャネルを介して所定情報を送信するように構成されているランダムアクセスチャネル送信部とを具備し、
前記同期状態管理部は、前記移動局の状態が前記第１状態である場合で、かつ、所定期間内に、前記タイミング調整コマンドを受信しなかった場合に、該移動局の状態を前記第２状態に遷移させるように構成されており、
前記同期状態管理部は、前記移動局の状態が前記第２状態である場合で、かつ、前記無線基地局によって前記所定情報に応じて送信された前記タイミング調整コマンドを受信した場合に、該タイミング調整コマンドに基づいて前記上りリンクにおける同期を確立することによって、該移動局の状態を前記第１状態に遷移させるように構成されていることを特徴とする移動局。
【請求項４】
前記タイミング調整コマンドを受信する度に、前記所定期間を計測するための上り同期タイマを再起動するように構成されている上り同期タイマ管理部を具備し、
前記同期状態管理部は、前記上り同期タイマが満了した場合に、前記移動局の状態を前記第２状態に遷移させるように構成されていることを特徴とする請求項３に記載の移動局。
【発明の詳細な説明】
【技術分野】
【０００１】
本発明は、移動局が無線基地局から送信されるタイミング調整コマンドに基づいて該無線基地局との間で上りリンクにおける同期を確立する同期確立方法、及び、移動局に関する。
【背景技術】
【０００２】
３ＧＰＰによって規定されている「ＬＴＥ（Ｌｏｎｇ  Ｔｅｒｍ  Ｅｖｏｌｕｔｉｏｎ）方式では、移動局ＵＥが、無線基地局ｅＮＢから送信される「ＴＡ（Ｔｉｍｉｎｇ  Ａｄｖａｎｃｅ：タイミング調整コマンド）」に基づいて、当該無線基地局ｅＮＢとの間で、上りリンクにおける同期を確立するように構成されている。
【０００３】
ここで、ＴＡは、ＭＡＣ（Ｍｅｄｉａ  Ａｃｃｅｓｓ  Ｃｏｎｔｒｏｌ）層における制御情報である「ＭＡＣ-Ｃｏｎｔｒｏｌ-Ｅｌｅｍｅｎｔ」によって送信されるものである。
【０００４】
以下、図５を参照して、従来のＬＴＥ方式において、移動局ＵＥが、無線基地局ｅＮＢとの間で、上りリンクにおける同期を確立する動作について説明する。
【０００５】
図５に示すように、移動局ＵＥは、上りリンクにおける同期が確立されている「同期確立状態」である場合（ステップＳ５１）、ステップＳ５２において、無線基地局ｅＮＢによって当該移動局ＵＥ宛てに送信されるＴＡを受信したか否かについて監視する。
【０００６】
移動局ＵＥは、無線基地局ｅＮＢによって送信されたＴＡを受信した場合、ステップＳ５３において、上りリンクにおける送信タイミングを調整することによって、無線基地局ｅＮＢとの間で確立されている上りリンクにおける同期を維持すると共に、上り同期タイマを再起動する。
【０００７】
一方、移動局ＵＥは、無線基地局ｅＮＢによって送信されたＴＡを受信していない場合、ステップＳ５４において、上り同期タイマが満了しているか否かについて判定する。
【０００８】
上り同期タイマが満了していないと判定された場合には、本動作は、ステップＳ５２に戻り、上り同期タイマが満了していると判定された場合には、本動作は、ステップＳ５５に進み、移動局ＵＥは、上りリンクにおける同期が確立されていない「上り同期外れ状態」に遷移する。
【０００９】
上り同期外れ状態である移動局ＵＥは、ＲＡＣＨ（Ｒａｎｄｏｍ  Ａｃｃｅｓｓ  Ｃｈａｎｎｅｌ：ランダムアクセスチャネル）以外での上りリンクにおける送信を行うことができない。ＲＡＣＨ以外での上りリンク送信には、ＵＬ-ＳＣＨ（Ｕｐｌｉｎｋ-Ｓｈａｒｅｄ  Ｃｈａｎｎｅｌ：上りリンク用共有チャネル）やＰＵＣＣＨ（Ｐｈｙｓｉｃａｌ  Ｕｐｌｉｎｋ  Ｃｏｎｔｒｏｌ  Ｃｈａｎｎｅｌ）が含まれる。
【００１０】
ここで、ＤＬ-ＳＣＨ（Ｄｏｗｎｌｉｎｋ-Ｓｈａｒｅｄ  Ｃｈａｎｎｅｌ：下りリンク用共有チャネル）に対するＨＡＲＱの送達確認情報（Ａｃｋ/Ｎａｃｋ）はＰＵＣＣＨにて送信されるように構成されている。
【００１１】
上り同期外れ状態である移動局ＵＥは、ステップＳ５６において、無線基地局ｅＮＢに対して送信すべき上りユーザデータが発生したか否かについて、及び、無線基地局ｅＮＢによって当該移動局ＵＥ宛てに送信される「ＲＡＣＨ送信要求」を受信したか否かについて判定する。
【００１２】
無線基地局ｅＮＢに対して送信すべき上りユーザデータが発生していないと判定された場合で、かつ、無線基地局ｅＮＢによって送信されたＲＡＣＨ送信要求を受信していないと判定された場合、本動作は、ステップＳ５６を繰り返し、無線基地局ｅＮＢに対して送信すべき上りユーザデータが発生したと判定された場合、或いは、無線基地局ｅＮＢによって送信されたＲＡＣＨ送信要求を受信したと判定された場合、本動作は、ステップＳ５７に進む。
【００１３】
ステップＳ５７において、移動局ＵＥは、ＲＡＣＨを介して所定情報を無線基地局ｅＮＢに対して送信する。
【００１４】
移動局ＵＥは、ステップＳ５８において、無線基地局ｅＮＢによって送信されたＴＡを受信すると、ステップＳ５９において、上りリンクにおける送信タイミングを調整して上り同期タイマを再起動し、ステップＳ５１において、「同期確立状態」に遷移する。ここで、無線基地局ｅＮＢは、ステップＳ５７において移動局ＵＥによってＲＡＣＨを介して送信された所定情報に対する測定結果に基づいて、ＴＡを生成して送信するように構成されている。
【非特許文献１】３ＧＰＰ  ＴＳ  ３６．３００  Ｖ８．２．０  （２００７−０９）
【非特許文献２】３ＧＰＰ  ＴＳ  ３６．３２１  Ｖ８．０．０  （２００７−１２）
【発明の開示】
【発明が解決しようとする課題】
【００１５】
しかしながら、従来のＬＴＥ方式では、移動局ＵＥは、上り同期外れ状態である場合には、無線基地局ｅＮＢに対して送信すべき上りユーザデータが発生するまで、若しくは、無線基地局ｅＮＢによって送信されたＲＡＣＨ送信要求を受信するまで、「同期確立状態」に遷移することができない。
【００１６】
したがって、移動局ＵＥは、上り同期外れ状態である場合には、ＤＬ-ＳＣＨを介して、当該移動局ＵＥ宛ての下りリンク情報（例えば、下りユーザデータ等）を受信した場合であっても（図６におけるステップＳ１０７）、当該ＤＬ-ＳＣＨがマッピングされているＰＤＳＣＨ（Ｐｈｙｓｉｃａｌ  Ｄｏｗｎｌｉｎｋ  Ｓｈａｒｅｄ  Ｃｈａｎｎｅｌ）に対する送達確認情報（ＡＣＫ/ＮＡＣＫ）を送信することができない（図６におけるステップＳ１０８）。
【００１７】
その結果、かかる下りリンク情報が、ＤＬ-ＳＣＨを介して再送されてしまい、下りリンクにおける無線リソースが無駄に使用されてしまうという問題点があった。
【００１８】
ここで、無線基地局ｅＮＢは、ＰＤＳＣＨに対するＡＣＫ（移動局ＵＥが復号に成功したことを通知する信号）を受信しなければ、移動局ＵＥ宛ての下りリンク情報を、ＤＬ-ＳＣＨを介して再送するように構成されている。
【００１９】
そこで、本発明は、上述の課題に鑑みてなされたものであり、同期外れ状態である移動局ＵＥが、無線基地局ｅＮＢに対して送信すべき上りユーザデータが発生していない場合で、かつ、無線基地局ｅＮＢによって送信されたＲＡＣＨ送信要求を受信していない場合であっても、同期確立状態に遷移することを可能とする同期確立方法及び移動局を提供することを目的とする。
【課題を解決するための手段】
【００２０】
本発明の第１の特徴は、移動局が、無線基地局から送信されるタイミング調整コマンドに基づいて、該無線基地局との間で、上りリンクにおける同期を確立する同期確立方法であって、前記移動局が、前記上りリンクにおける同期が確立されている第１状態において、所定期間内に、前記タイミング調整コマンドを受信しなかった場合、該上りリンクにおける同期が確立されていない第２状態に遷移する工程Ａと、前記移動局が、前記第２状態において、下りリンク用共有チャネルを介して該移動局宛ての下りリンク情報を受信した場合に、前記無線基地局に対して、ランダムアクセスチャネルを介して所定情報を送信する工程Ｂと、前記無線基地局が、前記ランダムアクセスチャネルを介して受信した前記所定情報に応じて、前記移動局に対して、タイミング調整コマンドを送信する工程Ｃと、前記移動局が、前記工程Ｃにおいて前記無線基地局によって送信された前記タイミング調整コマンドに基づいて、前記上りリンクにおける同期を確立することによって、前記第１状態に遷移する工程Ｄとを有することを要旨とする。
【００２１】
本発明の第１の特徴において、前記移動局は、前記タイミング調整コマンドを受信する度に、前記所定期間を計測するための上り同期タイマを再起動し、前記移動局は、前記上り同期タイマが満了した場合に、前記第２状態に遷移してもよい。
【００２２】
本発明の第２の特徴は、無線基地局から送信されるタイミング調整コマンドに基づいて、該無線基地局との間で、上りリンクにおける同期を確立するように構成されている移動局であって、前記移動局の状態が、前記上りリンクにおける同期が確立されている第１状態或いは前記上りリンクにおける同期が確立されていない第２状態のいずれであるかについて管理するように構成されている同期状態管理部と、前記移動局の状態が前記第２状態である場合で、かつ、下りリンク用共有チャネルを介して前記移動局宛ての下りリンク情報を受信した場合に、前記無線基地局に対して、ランダムアクセスチャネルを介して所定情報を送信するように構成されているランダムアクセスチャネル送信部とを具備し、前記同期状態管理部は、前記移動局の状態が前記第１状態である場合で、かつ、所定期間内に、前記タイミング調整コマンドを受信しなかった場合に、該移動局の状態を前記第２状態に遷移させるように構成されており、前記同期状態管理部は、前記移動局の状態が前記第２状態である場合で、かつ、前記無線基地局によって前記所定情報に応じて送信された前記タイミング調整コマンドを受信した場合に、該タイミング調整コマンドに基づいて前記上りリンクにおける同期を確立することによって、該移動局の状態を前記第１状態に遷移させるように構成されていることを要旨とする。
【００２３】
本発明の第２の特徴において、前記タイミング調整コマンドを受信する度に、前記所定期間を計測するための上り同期タイマを再起動するように構成されている上り同期タイマ管理部を具備し、前記同期状態管理部は、前記上り同期タイマが満了した場合に、前記移動局の状態を前記第２状態に遷移させるように構成されていてもよい。
【発明の効果】
【００２４】
以上説明したように、本発明によれば、同期外れ状態である移動局ＵＥが、無線基地局ｅＮＢに対して送信すべき上りユーザデータが発生していない場合で、かつ、無線基地局ｅＮＢによって送信されたＲＡＣＨ送信要求を受信していない場合であっても、同期確立状態に遷移することを可能とする同期確立方法及び移動局を提供することができる。
【発明を実施するための最良の形態】
【００２５】
（本発明の第１の実施形態に係る移動通信システムの構成）
図１及び図２を参照して、本発明の第１の実施形態に係る移動通信システムの構成について説明する。
【００２６】
本実施形態に係る移動通信システムでは、図１に示すように、無線基地局ｅＮＢが、移動局ＵＥに対して、ＰＤＣＣＨ（Ｐｈｙｓｉｃａｌ  Ｄｏｗｎｌｉｎｋ  Ｃｏｎｔｒｏｌ  Ｃｈａｎｎｅｌ）や、ＰＤＳＣＨや、Ｐ-ＨＩＣＨ（Ｐｈｙｓｉｃａｌ  ＨＡＲＱ  Ｉｎｄｉｃａｔｏｒ  Ｃｈａｎｎｅｌ）等を送信するように構成されている。
【００２７】
また、本実施形態に係る移動通信システムでは、図１に示すように、移動局ＵＥが、無線基地局ｅＮＢに対して、ＰＵＳＣＨ（Ｐｈｙｓｉｃａｌ  Ｕｐｌｉｎｋ  Ｓｈａｒｅｄ  Ｃｈａｎｎｅｌ）や、ＰＵＣＣＨ（Ｐｈｙｓｉｃａｌ  Ｕｐｌｉｎｋ  Ｃｏｎｔｒｏｌ  Ｃｈａｎｎｅｌ）や、ＰＲＡＣＨ（Ｐｈｙｓｉｃａｌ  Ｒａｎｄｏｍ  Ａｃｃｅｓｓ  Ｃｈａｎｎｅｌ）を送信するように構成されている。
【００２８】
ここで、無線基地局ｅＮＢは、移動局ＵＥに対して、ＰＤＳＣＨにマッピングされているＤＬ-ＳＣＨを介して、下りリンク情報（例えば、下りユーザデータ等）を送信し、移動局ＵＥは、無線基地局ｅＮＢに対して、ＰＵＳＣＨにマッピングされているＵＬ-ＳＣＨを介して、上りリンク情報（例えば、上りユーザデータ等）を送信するように構成されている。
【００２９】
また、無線基地局ｅＮＢは、移動局ＵＥに対して、Ｐ-ＨＩＣＨを介して、上述のＰＵＳＣＨに対するＨＡＲＱの送達確認情報であるＡＣＫ/ＮＡＣＫを送信し、移動局ＵＥは、無線基地局ｅＮＢに対して、ＰＵＣＣＨを介して、上述のＰＤＳＣＨに対するＨＡＲＱの送達確認情報であるＡＣＫ/ＮＡＣＫを送信するように構成されている。
【００３０】
さらに、移動局ＵＥは、無線基地局ｅＮＢに対して、ＰＲＡＣＨにマッピングされているＲＡＣＨを介して、所定情報を送信するように構成されている。
【００３１】
また、移動局ＵＥは、無線基地局ｅＮＢに対して、ＰＵＣＣＨを介して、３ＧＰＰに規定されている「ＣＱＩ（Ｃｈａｎｎｅｌ  Ｑｕａｌｉｔｙ  Ｉｎｄｉｃａｔｏｒ）」を送信するように構成されている。
【００３２】
さらに、移動局ＵＥは、無線基地局ｅＮＢに対して、３ＧＰＰに規定されている「Ｓｃｈｅｄｕｌｉｎｇ  Ｒｅｑｕｅｓｔ」や「ＵＬ  Ｓｏｕｎｄｉｎｇ  Ｒｅｆｅｒｅｎｃｅ  Ｓｉｇｎａｌ」等の制御情報を送信するように構成されている。
【００３３】
図２に示すように、移動局ＵＥは、ＴＡ受信部１１と、同期状態管理部１２と、上り同期タイマ管理部１３と、ＤＬ-ＳＣＨ受信部１４と、ＲＡＣＨ送信部１５と、ＰＵＣＣＨ送信部１６とを具備している。
【００３４】
ＴＡ受信部１１は、無線基地局ｅＮＢによってＤＬ-ＳＣＨを介して送信されたＭＡＣ-Ｃｏｎｔｒｏｌ-Ｅｌｅｍｅｎｔに含まれているＴＡを受信するように構成されている。
【００３５】
上り同期タイマ管理部１３は、所定期間を計測するための上り同期タイマを管理するように構成されている。具体的には、上り同期タイマ管理部１３は、ＴＡ受信部１１によってＴＡが受信される度に、かかる上り同期タイマを再起動するように構成されている。
【００３６】
同期状態管理部１２は、移動局の状態ＵＥが「同期確立状態（第１状態）」或いは「同期外れ状態（第２状態）」のいずれであるかについて管理するように構成されている。
【００３７】
ここで、「同期確立状態」は、移動局ＵＥと無線基地局ｅＮＢとの間で上りリンクにおける同期が確立されており、移動局ＵＥが無線基地局ｅＮＢに対してＲＡＣＨ以外の上りリンクにおける送信、例えば、ＵＬ-ＳＣＨを介した上りリンク情報の送信やＰＵＣＣＨを介したＰＤＳＣＨに対するＨＡＲＱの送達確認情報（ＡＣＫ/ＮＡＣＫ）の送信をすることができる状態である。
【００３８】
一方、「同期外れ状態」は、移動局ＵＥと無線基地局ｅＮＢとの間で上りリンクにおける同期が確立されておらず、移動局ＵＥが無線基地局ｅＮＢに対してＲＡＣＨ以外の上りリンクにおける送信、例えば、ＵＬ-ＳＣＨを介した上りリンク情報の送信やＰＵＣＣＨを介したＰＤＳＣＨに対するＨＡＲＱの送達確認情報（ＡＣＫ/ＮＡＣＫ）の送信をすることができない状態である。
【００３９】
なお、同期状態管理部１２は、移動局ＵＥの状態が「同期確立状態」である場合で、かつ、所定期間内に、ＴＡを受信しなかった場合に、かかる移動局ＵＥの状態を「同期外れ状態」に遷移させるように構成されている。
【００４０】
ここで、同期状態管理部１２は、上り同期タイマ管理部１３によって管理されている上り同期タイマが満了した場合に、移動局ＵＥの状態を「同期外れ状態」に遷移させるように構成されていてもよい。
【００４１】
また、同期状態管理部１２は、移動局ＵＥの状態が「同期外れ状態」である場合で、かつ、無線基地局ｅＮＢによって送信されたＴＡを受信した場合に、かかるＴＡに基づいて上りリンクにおける同期を確立することによって、移動局ＵＥの状態を「同期確立状態」に遷移させるように構成されている。
【００４２】
ＤＬ-ＳＣＨ受信部１４は、ＤＬ-ＳＣＨを介して、下りリンク情報（例えば、下りユーザデータ等）を受信するように構成されている。
【００４３】
ＰＵＣＣＨ送信部１６は、ＤＬ-ＳＣＨ受信部１４によって受信されたＤＬ-ＳＣＨがマッピングされているＰＤＳＣＨに対する送達確認情報（ＡＣＫ/ＮＡＣＫ）を、ＰＵＣＣＨを介して無線基地局ｅＮＢに対して送信するように構成されている。
【００４４】
ＲＡＣＨ送信部１５は、無線基地局ｅＮＢに対して、ＲＡＣＨを介して、所定情報を送信するように構成されている。
【００４５】
具体的には、ＲＡＣＨ送信部１５は、移動局ＵＥの状態が「同期外れ状態」である場合で、かつ、ＤＬ-ＳＣＨを介して移動局ＵＥ宛ての下りリンク情報（例えば、下りユーザデータ等）を受信した場合に、無線基地局ｅＮＢに対して、ＲＡＣＨを介して所定情報を送信するように構成されている。
【００４６】
（本発明の第１の実施形態に係る移動通信システムの動作）
図３及び図４を参照して、本発明の第１の実施形態に係る移動通信システムの動作について説明する。
【００４７】
第１に、図３を参照して、本実施形態に係る移動通信システムにおいて、移動局ＵＥが、無線基地局ｅＮＢとの間で、上りリンクにおける同期を確立する動作について説明する。
【００４８】
図３に示すように、移動局ＵＥは、上りリンクにおける同期が確立されている「同期確立状態」である場合（ステップＳ１５１）、ステップＳ１５２において、無線基地局ｅＮＢによって当該移動局ＵＥ宛てに送信されるＴＡを受信したか否かについて監視する。
【００４９】
移動局ＵＥは、無線基地局ｅＮＢによって送信されたＴＡを受信した場合、ステップＳ１５３において、上りリンクにおける送信タイミングを調整することによって、無線基地局ｅＮＢとの間で確立されている上りリンクにおける同期を維持すると共に、上り同期タイマを再起動する。
【００５０】
一方、移動局ＵＥは、無線基地局ｅＮＢによって送信されたＴＡを受信していない場合、ステップＳ１５４において、上り同期タイマが満了しているか否かについて判定する。
【００５１】
上り同期タイマが満了していないと判定された場合には、本動作は、ステップＳ１５２に戻り、上り同期タイマが満了していると判定された場合には、本動作は、ステップＳ１５５に進み、移動局ＵＥは、上りリンクにおける同期が確立されていない「同期外れ状態」に遷移する。
【００５２】
「同期外れ状態」に遷移した移動局ＵＥは、ステップＳ１５６において、無線基地局ｅＮＢに対して送信すべき上りユーザデータが発生したか否かについて、及び、無線基地局ｅＮＢによって当該移動局ＵＥ宛てに送信される「ＲＡＣＨ送信要求」を受信したか否かについて、さらには、ＤＬ-ＳＣＨを介して当該移動局ＵＥ宛ての下りリンク情報（例えば、下りユーザデータ）が受信されたか否かについて判定する。
【００５３】
無線基地局ｅＮＢに対して送信すべき上りユーザデータが発生していないと判定された場合で、かつ、無線基地局ｅＮＢによって送信されたＲＡＣＨ送信要求を受信していない場合で、かつ、ＤＬ-ＳＣＨを介して当該移動局ＵＥ宛ての下りリンク情報が受信されていないと判定された場合に、本動作は、ステップＳ１５６を繰り返す。
【００５４】
一方、無線基地局ｅＮＢに対して送信すべき上りユーザデータが発生したと判定された場合、或いは、無線基地局ｅＮＢによって送信されたＲＡＣＨ送信要求を受信したと判定された場合、或いは、ＤＬ-ＳＣＨを介して当該移動局ＵＥ宛ての下りリンク情報が受信されたと判定された場合には、本動作は、ステップＳ１５７に進む。
【００５５】
ステップＳ１５７において、移動局ＵＥは、ＲＡＣＨを介して所定情報を無線基地局ｅＮＢに対して送信する。
【００５６】
移動局ＵＥは、ステップＳ１５８において、無線基地局ｅＮＢによって送信されたＴＡを受信すると、ステップＳ１５９において、上りリンクにおける送信タイミングを調整して上り同期タイマを再起動し、ステップＳ１５１において、「同期確立状態」に遷移する。ここで、無線基地局ｅＮＢは、ステップＳ１５７において移動局ＵＥによって上りリンクを介して送信された所定信号に対する測定結果に基づいて、ＴＡを生成して送信するように構成されている。
【００５７】
第２に、図４を参照して、本実施形態に係る移動通信システムの全体動作について説明する。
【００５８】
図４に示すように、ステップＳ２０１において、無線基地局ｅＮＢが、移動局ＵＥに対して、ＴＡを送信すると、ステップＳ２０２において、移動局ＵＥは、受信したＴＡに基づいて、上りリンクにおける送信タイミングを調整することによって、無線基地局ｅＮＢとの間で確立されている上りリンクにおける同期を維持すると共に、上り同期タイマを再起動する。
【００５９】
同様に、ステップＳ２０３において、無線基地局ｅＮＢが、移動局ＵＥに対して、ＴＡを送信すると、ステップＳ２０４において、移動局ＵＥは、受信したＴＡに基づいて、上りリンクにおける送信タイミングを調整することによって、無線基地局ｅＮＢとの間で確立されている上りリンクにおける同期を維持すると共に、上り同期タイマを再起動する。
【００６０】
しかしながら、ステップＳ２０５では、無線基地局ｅＮＢが、移動局ＵＥに対して、ＴＡを送信したにも関らず、移動局ＵＥは、かかるＴＡの受信に失敗し、ステップＳ２０６において、上り同期タイマが満了した場合、移動局ＵＥは、「同期外れ状態」に遷移する。
【００６１】
その後、移動局ＵＥは、ステップＳ２０７において、「同期外れ状態」に遷移した場合に、無線基地局ｅＮＢによってＤＬ-ＳＣＨを介して送信された下りリンク情報を受信すると、無線基地局ｅＮＢに対して送信すべき上りユーザデータが発生していない場合で、かつ、無線基地局ｅＮＢによって送信されたＲＡＣＨ送信要求を受信していない場合であっても、ステップＳ２０８において、無線基地局ｅＮＢに対して、ＲＡＣＨを介して所定情報を送信する。
【００６２】
ステップＳ２０９において、無線基地局ｅＮＢは、ステップＳ２０８において移動局ＵＥによってＲＡＣＨを介して送信された所定情報に対する測定結果に基づいて、ＴＡを生成して送信する。
【００６３】
ここで、移動局ＵＥは、受信したＴＡに基づいて、無線基地局ｅＮＢとの間で、上りリンクにおける同期を確立して、「同期確立状態」に遷移する。
【００６４】
その後、無線基地局ｅＮＢは、所定期間が経過しても、上述の下りリンク情報に対する送達確認情報（具体的には、上述のＤＬ-ＳＣＨがマッピングされているＰＤＳＣＨに対する送達確認情報）を受信していないため、ステップＳ２１０において、かかる下りリンク情報を、ＤＬ-ＳＣＨを介して再送する。
【００６５】
ステップＳ２１１において、移動局ＵＥは、「同期確立状態」であるため、無線基地局ｅＮＢに対して、かかるＤＬ-ＳＣＨがマッピングされているＰＤＳＣＨに対する送達確認応答（ＡＣＫ/ＮＡＣＫ）を送信することができる。
【００６６】
（本発明の第１の実施形態に係る移動通信システムの作用・効果）
本実施形態に係る移動通信システムによれば、「同期外れ状態」である移動局ＵＥが、無線基地局ｅＮＢに対して送信すべき上りユーザデータが発生していない場合で、かつ、無線基地局ｅＮＢによって送信されたＲＡＣＨ送信要求を受信していない場合であっても、ＤＬ-ＳＣＨを介して当該移動局ＵＥ宛ての下りリンク情報を受信した場合に、「同期確立状態」に遷移することができるため、冗長な下りリンク情報の再送を防ぐことができ、下りリンクにおける無線リソースの浪費を最低限にすることができる。
【００６７】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６８】
ここで、ソフトウェアモジュールは、例えば、レイヤ構造で階層化されたプロトコルスタックであってもよい。また、プロセッサは、例えば、チップセットとしてハードウェア化されたもので、プロトコルスタックを実行するものであってもよい。
【００６９】
また、ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００７１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００７２】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を示すフローチャートである。
【図４】本発明の第１の実施形態に係る移動通信システムの動作を説明するための図である。
【図５】従来の移動局の動作を示すフローチャートである。
【図６】従来の移動通信システムの動作を説明するための図である。
【符号の説明】
【００７３】
ｅＮＢ…無線基地局
ＵＥ…移動局
１１…ＴＡ受信部
１２…同期状態管理部
１３…上り同期タイマ管理部
１４…ＤＬ-ＳＣＨ受信部
１５…ＲＡＣＨ送信部
１６…ＰＵＣＣＨ送信部
【図１】
2009164832.tif 000003
【図２】
2009164832.tif 000004
【図３】
2009164832.tif 000005
【図４】
2009164832.tif 000006
【図５】
2009164832.tif 000007
【図６】
2009164832.tif 000008